(57)【要約】【課題】本発明は発光制御信号を供給することができるようにしたステージに関する。【解決手段】ステージは、第１ノード及び第２ノードの電圧に応じて第１の電源または第２電源の電圧を出力端子に供給するための出力部と、第１入力端子及び第２入力端子に供給される信号に応じて第３ノード及び第４ノードの電圧を制御するための入力部と、上記第２ノードの電圧に応じて上記第１ノードの電圧を制御するための第１信号処理部と、第５ノードに接続され、第３入力端子に供給される信号に応じて上記第１ノードの電圧を制御するための第２信号処理部と、上記第３ノードの電圧及び上記第３入力端子に供給される信号に応じて上記第４ノードの電圧を制御するための第３信号処理部と、上記第２信号処理部と上記入力部の間に接続され、上記第３ノード及び第４ノードの電圧の下降幅を制限するための第１の安定化部と、を備える。【選択図】図４
2017223953.tif 000002
【特許請求の範囲】
【請求項１】
第１ノード及び第２ノードの電圧に応じて第１電源または第２電源の電圧を出力端子に供給するための出力部と、
第１入力端子及び第２入力端子に供給される信号に応じて第３ノード及び第４ノードの電圧を制御するための入力部と、
前記第２ノードの電圧に応じて前記第１ノードの電圧を制御するための第１信号処理部と、
第５ノードに接続され、第３入力端子に供給される信号に応じて前記第１ノードの電圧を制御するための第２信号処理部と、
前記第３ノードの電圧及び前記第３入力端子に供給される信号に応じて前記第４ノードの電圧を制御するための第３信号処理部と、
前記第２信号処理部と前記入力部の間に接続され、前記第３ノード及び第４ノードの電圧の下降幅を制限するための第１安定化部と、を備えることを特徴とするステージ。
【請求項２】
前記第１電源はゲートオフ電圧に設定され、前記第２電源はゲートオン電圧に設定されることを特徴とする請求項１に記載のステージ。
【請求項３】
前記第１入力端子は、前段のステージの出力信号またはスタートパルスの供給を受けることを特徴とする請求項１に記載のステージ。
【請求項４】
前記第１入力端子に供給される前段のステージの出力信号またはスタートパルスは、前記第２入力端子に供給されるクロック信号と少なくとも一度重なることを特徴とする請求項３に記載のステージ。
【請求項５】
前記第２入力端子は第１クロック信号の供給を受け、第３入力端子は第２クロック信号の供給を受けることを特徴とする請求項１に記載のステージ。
【請求項６】
前記第１クロック信号及び第２クロック信号は同じ周期を有し、前記第２クロック信号は前記第１クロック信号から半周期分だけシフトされた信号に設定されることを特徴とする請求項５に記載のステージ。
【請求項７】
前記第１安定化部は、
前記第３ノードと前記第５ノードの間に接続され、ゲート電極が前記第２電源に接続される第１トランジスタと、
前記第２ノードと前記第４ノードの間に接続され、ゲート電極が前記第２電源に接続される第２トランジスタと、を備えることを特徴とする請求項１に記載のステージ。
【請求項８】
前記入力部は、
前記第１入力端子と前記第４ノードの間に接続され、ゲート電極が前記第２入力端子に接続される第７トランジスタと、
前記第３ノードと前記第２入力端子の間に接続され、ゲート電極が前記第４ノードに接続される第８トランジスタと、
前記第３ノードと前記第２電源の間に接続され、ゲート電極が前記第２入力端子に接続される第９トランジスタと、を備えることを特徴とする請求項１に記載のステージ。
【請求項９】
前記出力部は、
前記第１電源と前記出力端子の間に接続され、ゲート電極が前記第１ノードに接続される第１０トランジスタと、
前記第２電源と前記出力端子の間に接続され、ゲート電極が前記第２ノードに接続される第１１トランジスタと、を備えることを特徴とする請求項１に記載のステージ。
【請求項１０】
前記第１信号処理部は、
前記第１電源と前記第１ノードの間に接続され、ゲート電極が前記第２ノードに接続される第１２トランジスタと、
前記第１電源と前記第１ノードの間に接続される第３キャパシタと、を備えることを特徴とする請求項１に記載のステージ。
【請求項１１】
前記第２信号処理部は、
前記第２ノードと前記第３入力端子の間に接続される第１キャパシタと、
第１端子が前記第５ノードに接続される第２キャパシタと、
前記第２キャパシタの第２端子と前記第１ノードの間に接続され、ゲート電極が前記第３入力端子に接続される第５トランジスタと、
前記第２キャパシタの第２端子と前記第３入力端子の間に接続され、ゲート電極が前記第５ノードに接続される第６トランジスタと、を備えることを特徴とする請求項１に記載のステージ。
【請求項１２】
前記第３信号処理部は、
第１電源と前記第４ノードの間に直列接続される第１３トランジスタ及び第１４トランジスタを備え、
前記第１３トランジスタのゲート電極は前記第３ノードに接続され、前記第１４トランジスタのゲート電極は前記第３入力端子に接続されることを特徴とする請求項１に記載のステージ。
【請求項１３】
前記第１電源、前記第１ノード、及び前記第３入力端子に接続され、前記出力端子に前記第１電源の電圧が出力される間前記第２ノードの電圧を一定に保持するための第２安定化部をさらに備えることを特徴とする請求項１に記載のステージ。
【請求項１４】
前記第２安定化部は、
前記第１電源と第６ノードの間に接続され、ゲート電極が前記第１ノードに接続される第３トランジスタと、
前記第６ノードと前記第３入力端子の間に接続され、ゲート電極が前記第２ノードに接続される第４トランジスタと、
前記第２ノードと前記第６ノードの間に接続される第１キャパシタと、を備えることを特徴とする請求項１３に記載のステージ。
【請求項１５】
前記第２信号処理部は、
第１端子が前記第５ノードに接続される第２キャパシタと、
前記第２キャパシタの第２端子と前記第１ノードの間に接続され、ゲート電極が前記第３入力端子に接続される第５トランジスタと、
前記第２キャパシタの第２端子と前記第３入力端子の間に接続され、ゲート電極が前記第５ノードに接続される第６トランジスタと、を備えることを特徴とする請求項１４に記載のステージ。
【請求項１６】
走査線、データ線及び発光制御線と接続される画素と、
前記走査線に走査信号を供給するための走査駆動部と、
前記データ線にデータ信号を供給するためのデータ駆動部と、
前記発光制御線に発光制御信号を供給するために複数のステージを含む発光駆動部と、を備え、
前記ステージのそれぞれは、
第１ノード及び第２ノードの電圧に応じて第１電源または第２電源の電圧を出力端子に供給するための出力部と、
第１入力端子及び第２入力端子に供給される信号に応じて第３ノード及び第４ノードの電圧を制御するための入力部と、
前記第２ノードの電圧に応じて前記第１ノードの電圧を制御するための第１信号処理部と、
第５ノードに接続され、第３入力端子に供給される信号に応じて前記第１ノードの電圧を制御するための第２信号処理部と、
前記第３ノード及び前記第３入力端子に供給される信号に応じて前記第４ノードの電圧を制御するための第３信号処理部と、
前記第２信号処理部と前記入力部の間に接続され、前記第３ノード及び第４ノードの電圧の下降幅を制限するための第１安定化部と、を備えることを特徴とする有機電界発光表示装置。
【請求項１７】
前記第１電源はゲートオフ電圧に設定され、前記第２電源はゲートオン電圧に設定され、
前記出力端子に供給される前記第１電源の電圧が発光制御信号として使用されることを特徴とする請求項１６に記載の有機電界発光表示装置。
【請求項１８】
前記第１入力端子は、前段のステージの出力信号またはスタートパルスの供給を受け、
ｊ（ｊは奇数または偶数）番目のステージの前記第２入力端子は第１クロック信号、前記第３入力端子は第２クロック信号の供給を受け、
ｊ＋１番目のステージの前記第２入力端子は第２クロック信号、前記第３入力端子は第１クロック信号の供給を受けることを特徴とする請求項１６に記載の有機電界発光表示装置。
【請求項１９】
前記第１安定化部は、
前記第３ノードと前記第５ノードの間に接続され、ゲート電極が前記第２電源に接続される第１トランジスタと、
前記第２ノードと前記第４ノードの間に接続され、ゲート電極が前記第２電源に接続される第２トランジスタと、を備えることを特徴とする請求項１６に記載の有機電界発光表示装置。
【請求項２０】
前記第１電源、前記第１ノード、及び前記第３入力端子に接続され、前記出力端子に前記第１電源の電圧が出力される間前記第２ノードの電圧を一定に保持するための第２安定化部をさらに備え、
前記第２安定化部は、
前記第１電源と第６ノードの間に接続され、ゲート電極が前記第１ノードに接続される第３トランジスタと、
前記第６ノードと前記第３入力端子の間に接続され、ゲート電極が前記第２ノードに接続される第４トランジスタと、
前記第２ノードと前記第６ノードの間に接続される第１キャパシタと、を備えることを特徴とする請求項１６に記載の有機電界発光表示装置。
【発明の詳細な説明】
【技術分野】
【０００１】
本発明は、ステージ及びこれを用いた有機電界発光表示装置に関する。特に、発光制御信号を供給することができるステージ及びこれを用いた有機電界発光表示装置に関する。
【背景技術】
【０００２】
情報化技術が発達するにつれて、ユーザーと情報の間の接続媒体である表示装置の重要性が浮き彫りになっている。これに応じて、液晶表示装置（Ｌｉｑｕｉｄ  Ｃｒｙｓｔａｌ  Ｄｉｓｐｌａｙ  Ｄｅｖｉｃｅ）及び有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）などの表示装置（Ｄｉｓｐｌａｙ  Ｄｅｖｉｃｅ）の使用が増えている。
【０００３】
平板表示装置のうち有機電界発光表示装置は、電子と正孔の再結合により光を発生させる有機発光ダイオード（Ｏｒｇａｎｉｃ  Ｌｉｇｈｔ  Ｅｍｉｔｔｉｎｇ  Ｄｉｏｄｅ）を用いて映像を表示する。このような有機電界発光表示装置は、速い応答速度を有するとともに低い消費電力で駆動されるという利点がある。
【０００４】
有機電界発光表示装置は、データ線にデータ信号を供給するためのデータ駆動部と、走査線に走査信号を供給するための走査駆動部と、発光制御線に発光制御信号を供給するための発光駆動部と、データ線、走査線及び発光制御線に接続するように配置される画素と、を備える。
【０００５】
画素は、走査線に走査信号が供給されるときに選択され、データ線からデータ信号の供給を受ける。データ信号の供給を受けた画素は、データ信号に応じて所定の輝度の光を生成しながら映像を実現する。ここで、画素の発光時間は発光駆動部から供給される発光制御信号によって制御される。
【０００６】
このため、発光駆動部は発光制御線のそれぞれと接続されるステージを備える。ステージは複数のクロック信号に応じて発光制御信号を生成し、生成された発光制御信号を発光制御線に供給する。
【０００７】
上述のように、ステージは発光時間を制御する発光制御信号を生成する。ここで、発光制御信号が不安定な場合、望まない地点の画素が発光する恐れがある。したがって、安定的に発光制御信号を生成することができるステージが求められている。
【先行技術文献】
【特許文献】
【０００８】
【特許文献１】韓国公開特許第１０−２０１４−００２５１４９号公報
【発明の概要】
【発明が解決しようとする課題】
【０００９】
したがって、本発明は、安定的に発光制御信号を生成することができるステージ及びこれを用いた有機電界発光表示装置を提供するものである。
【課題を解決するための手段】
【００１０】
本発明の一実施形態によるステージは、第１ノード及び第２ノードの電圧に応じて第１電源または第２電源の電圧を出力端子に供給するための出力部と、第１入力端子及び第２入力端子に供給される信号に応じて第３ノード及び第４ノードの電圧を制御するための入力部と、上記第２ノードの電圧に応じて上記第１ノードの電圧を制御するための第１信号処理部と、第５ノードに接続され、第３入力端子に供給される信号に応じて上記第１ノードの電圧を制御するための第２信号処理部と、上記第３ノードの電圧及び上記第３入力端子に供給される信号に応じて上記第４ノードの電圧を制御するための第３信号処理部と、上記第２信号処理部と上記入力部の間に接続され、上記第３ノード及び第４ノードの電圧の下降幅を制限するための第１安定化部と、を備える。
【００１１】
また、上記第１電源はゲートオフ電圧に設定され、上記第２電源はゲートオン電圧に設定されてもよい。
【００１２】
また、上記第１入力端子は、前段のステージの出力信号またはスタートパルスの供給を受けてもよい。
【００１３】
また、上記第１入力端子に供給される前段のステージの出力信号またはスタートパルスは、上記第２入力端子に供給されるクロック信号と少なくとも一度重なってもよい。
【００１４】
また、上記第２入力端子は第１クロック信号の供給を受け、第３入力端子は第２クロック信号の供給を受けてもよい。
【００１５】
また、上記第１クロック信号及び第２クロック信号は同じ周期を有し、上記第２クロック信号は上記第１クロック信号から半周期分だけシフトされた信号に設定されてもよい。
【００１６】
また、上記第１安定化部は、上記第３ノードと上記第５ノードの間に接続され、ゲート電極が上記第２電源に接続される第１トランジスタと、上記第２ノードと上記第４ノードの間に接続され、ゲート電極が上記第２電源に接続される第２トランジスタと、を備えてもよい。
【００１７】
また、上記入力部は、上記第１入力端子と上記第４ノードの間に接続され、ゲート電極が上記第２入力端子に接続される第７トランジスタと、上記第３ノードと上記第２入力端子の間に接続され、ゲート電極が上記第４ノードに接続される第８トランジスタと、上記第３ノードと上記第２電源の間に接続され、ゲート電極が上記第２入力端子に接続される第９トランジスタと、を備えてもよい。
【００１８】
また、上記出力部は、上記第１電源と上記出力端子の間に接続され、ゲート電極が上記第１ノードに接続される第１０トランジスタと、上記第２電源と上記出力端子の間に接続され、ゲート電極が上記第２ノードに接続される第１１トランジスタと、を備えてもよい。
【００１９】
また、上記第１信号処理部は、上記第１電源と上記第１ノードの間に接続され、ゲート電極が上記第２ノードに接続される第１２トランジスタと、上記第１電源と上記第１ノードの間に接続される第３キャパシタと、を備えてもよい。
【００２０】
また、上記第２信号処理部は、上記第２ノードと上記第３入力端子の間に接続される第１キャパシタと、第１端子が上記第５ノードに接続される第２キャパシタと、上記第２キャパシタの第２端子と上記第１ノードの間に接続され、ゲート電極が上記第３入力端子に接続される第５トランジスタと、上記第２キャパシタの第２端子と上記第３入力端子の間に接続され、ゲート電極が上記第５ノードに接続される第６トランジスタと、を備えてもよい。
【００２１】
また、上記第３信号処理部は、第１電源と上記第４ノードの間に直列接続される第１３トランジスタ及び第１４トランジスタを備え、上記第１３トランジスタのゲート電極は上記第３ノードに接続され、上記第１４トランジスタのゲート電極は上記第３入力端子に接続されてもよい。
【００２２】
また、上記第１電源、上記第１ノード、及び上記第３入力端子に接続され、上記出力端子に上記第１電源の電圧が出力される間上記第２ノードの電圧を一定に保持するための第２安定化部をさらに備えてもよい。
【００２３】
また、上記第２安定化部は、上記第１電源と第６ノードの間に接続され、ゲート電極が上記第１ノードに接続される第３トランジスタと、上記第６ノードと上記第３入力端子の間に接続され、ゲート電極が上記第２ノードに接続される第４トランジスタと、上記第２ノードと上記第６ノードの間に接続される第１キャパシタと、を備えてもよい。
【００２４】
また、上記第２信号処理部は、第１端子が上記第５ノードに接続される第２キャパシタと、上記第２キャパシタの第２端子と上記第１ノードの間に接続され、ゲート電極が上記第３入力端子に接続される第５トランジスタと、上記第２キャパシタの第２端子と上記第３入力端子の間に接続され、ゲート電極が上記第５ノードに接続される第６トランジスタと、を備えてもよい。
【００２５】
本発明の一実施形態による有機電界発光表示装置は、走査線、データ線及び発光制御線と接続される画素と、上記走査線に走査信号を供給するための走査駆動部と、上記データ線にデータ信号を供給するためのデータ駆動部と、上記発光制御線に発光制御信号を供給するために複数のステージを含む発光駆動部と、を備え、上記ステージのそれぞれは、第１ノード及び第２ノードの電圧に応じて第１電源または第２電源の電圧を出力端子に供給するための出力部と、第１入力端子及び第２入力端子に供給される信号に応じて第３ノード及び第４ノードの電圧を制御するための入力部と、上記第２ノードの電圧に応じて上記第１ノードの電圧を制御するための第１信号処理部と、第５ノードに接続され、第３入力端子に供給される信号に応じて上記第１ノードの電圧を制御するための第２信号処理部と、上記第３ノード及び上記第３入力端子に供給される信号に応じて上記第４ノードの電圧を制御するための第３信号処理部と、上記第２信号処理部と上記入力部の間に接続され、上記第３ノード及び第４ノードの電圧の下降幅を制限するための第１安定化部と、を備える。
【００２６】
また、上記第１電源はゲートオフ電圧に設定され、上記第２電源はゲートオン電圧に設定され、上記出力端子に供給される上記第１電源の電圧が発光制御信号として使用されてもよい。
【００２７】
また、上記第１入力端子は、前段のステージの出力信号またはスタートパルスの供給を受け、ｊ（ｊは奇数または偶数）番目のステージの上記第２入力端子は第１クロック信号、上記第３入力端子は第２クロック信号の供給を受け、ｊ＋１番目のステージの上記第２入力端子は第２クロック信号、上記第３入力端子は第１クロック信号の供給を受けてもよい。
【００２８】
また、上記第１安定化部は、上記第３ノードと上記第５のノードの間に接続され、ゲート電極が上記第２電源に接続される第１トランジスタと、上記第２ノードと上記第４ノードの間に接続され、ゲート電極が上記第２電源に接続される第２トランジスタと、を備えてもよい。
【００２９】
また、上記第１電源、上記第１ノード、及び上記第３入力端子に接続され、上記出力端子に上記第１電源の電圧が出力される間上記第２ノードの電圧を一定に保持するための第２安定化部をさらに備え、上記第２安定化部は、上記第１電源と第６ノードの間に接続され、ゲート電極が上記第１ノードに接続される第３トランジスタと、上記第６ノードと上記第３入力端子の間に接続され、ゲート電極が上記第２ノードに接続される第４トランジスタと、上記第２ノードと上記第６ノードの間に接続される第１キャパシタと、を備えてもよい。
【発明の効果】
【００３０】
本発明の一実施形態に係るステージ及びこれを用いた有機電界発光表示装置によれば、キャパシタを利用してトランジスタのゲート電極の電圧を周期的に下降することにより、トランジスタの駆動特性を向上することができる。
【００３１】
また、本発明の一実施形態では、上記キャパシタにより下げられた電圧によって、特定トランジスタのソース電極及びドレイン電極の電圧差が大きくなることを防止することができ、これにより、特定トランジスタの特性が変化することを防止することができる。また、本発明の一実施形態では、発光制御信号が供給される間、特定ノードの電圧を一定に保持することによって駆動の信頼性を確保することができる。
【図面の簡単な説明】
【００３２】
【図１】本発明の一実施形態による有機電界発光表示装置を示す図である。
【図２】図１に示した画素の一実施形態を示す図である。
【図３】図１に示した発光駆動部の一実施形態を示す図である。
【図４】図３に示したステージの一実施形態を示す図である。
【図５】図４に示したステージの駆動方法の一実施形態を示す波形図である。
【図６】図３に示したステージの他の実施形態を示す図である。
【図７】図３に示したステージのさらに他の実施形態を示す図である。
【発明を実施するための形態】
【００３３】
以下では、添付の図面を参照して本発明の実施形態及びその他に当業者が本発明の内容を容易に理解するために必要な事項について詳細に記載する。ただし、本発明は、請求の範囲に記載された範囲内で様々な異なる形態で実現されることができるため、以下に説明する実施形態は、表現有無に関わらず、例示的なものに過ぎない。
【００３４】
即ち、本発明は、以下に開示される実施形態に限定されるものではなく、異なる多様な形態で実現されてもよい。以下の説明において、ある部分が他の部分と接続されているというときは、直接接続されている場合だけでなく、その中間に他の素子を挟んで電気的に接続されている場合も含む。また、図面における同じ構成要素に対しては、たとえ他の図面上に示されているとしても、できる限り同じ参照番号及び符号で示していることに留意すべきである。
【００３５】
図１は、本発明の一実施形態による有機電界発光表示装置を示す図である。
【００３６】
図１を参照すると、本発明の一実施形態による有機電界発光表示装置は、走査駆動部１０、データ駆動部２０、発光駆動部３０、画素部４０、及びタイミング制御部６０を備える。
【００３７】
タイミング制御部６０は、外部から供給される同期信号に応じて、データ駆動制御信号ＤＣＳ、走査駆動制御信号ＳＣＳ及び発光駆動制御信号ＥＣＳを生成する。タイミング制御部６０で生成されたデータ駆動制御信号ＤＣＳはデータ駆動部２０に供給され、走査駆動制御信号ＳＣＳは走査駆動部１０に供給され、発光駆動制御信号ＥＣＳは発光駆動部３０に供給される。
【００３８】
走査駆動制御信号ＳＣＳにはスタートパルス及びクロック信号が含まれる。スタートパルスは走査信号の最初のタイミングを制御する。クロック信号はスタートパルスをシフトさせるために用いられる。
【００３９】
発光駆動制御信号ＥＣＳにはスタートパルス及びクロック信号が含まれる。スタートパルスは発光制御信号の最初のタイミングを制御する。クロック信号はスタートパルスをシフトさせるために用いられる。
【００４０】
データ駆動制御信号ＤＣＳにはソーススタートパルス及びクロック信号が含まれる。ソーススタートパルスはデータのサンプリングの開始時点を制御する。クロック信号はサンプリング動作を制御するために用いられる。
【００４１】
走査駆動部１０は、タイミング制御部６０から走査駆動制御信号ＳＣＳの供給を受ける。走査駆動制御信号ＳＣＳの供給を受けた走査駆動部１０は、走査線Ｓ１〜Ｓｎに走査信号を供給する。例えば、走査駆動部１０は、走査線Ｓ１〜Ｓｎに走査信号を順に供給することができる。走査線Ｓ１〜Ｓｎに走査信号が順に供給されると、画素５０が水平ライン単位で選択される。
【００４２】
発光駆動部３０は、タイミング制御部６０から発光駆動制御信号ＥＣＳの供給を受ける。発光駆動制御信号ＥＣＳの供給を受けた発光駆動部３０は、発光制御線Ｅ１〜Ｅｎに発光制御信号を供給する。例えば、発光駆動部３０は発光制御線Ｅ１〜Ｅｎに発光制御信号を順に供給することができる。このような発光制御信号は画素５０の発光時間を制御するために用いられる。例えば、発光制御信号の供給を受ける特定の画素５０は、発光制御信号が供給される期間は非発光状態に設定され、それ以外の期間は発光状態に設定されてもよい。
【００４３】
また、発光制御信号は、画素５０に含まれたトランジスタがターンオフできるゲートオフ電圧（例えば、ハイ電圧）に設定され、走査信号は、画素５０に含まれたトランジスタがターンオンできるゲートオン電圧（例えば、ロー電圧）に設定されてもよい。
【００４４】
データ駆動部２０はタイミング制御部６０からデータ駆動制御信号ＤＣＳの供給を受ける。データ駆動制御信号ＤＣＳの供給を受けたデータ駆動部２０は、データ線Ｄ１〜Ｄｍにデータ信号を供給する。データ線Ｄ１〜Ｄｍに供給されたデータ信号は、走査信号により選択された画素５０に供給される。このため、データ駆動部２０は、走査信号と同期するようにデータ線Ｄ１〜Ｄｍにデータ信号を供給することができる。
【００４５】
画素部４０は、走査線Ｓ１〜Ｓｎ、データ線Ｄ１〜Ｄｍ、及び発光制御線Ｅ１〜Ｅｎと接続される画素５０を備える。画素部４０は、外部から第１駆動電源ＥＬＶＤＤ及び第２駆動電源ＥＬＶＳＳの供給を受ける。
【００４６】
図には示さなかったが、画素５０のそれぞれは、駆動トランジスタ及び有機発光ダイオードを備える。駆動トランジスタは、データ信号に応じて、第１駆動電源ＥＬＶＤＤから有機発光ダイオードを経由して第２駆動電源ＥＬＶＳＳに流れる電流量を制御する。
【００４７】
一方、図１には、ｎ個の走査線Ｓ１〜Ｓｎ及びｎ個の発光制御線Ｅ１〜Ｅｎが示されているが、本願の発明はこれに限定されない。例えば、画素５０の回路構造に応じて、画素部４０には１つ以上のダミー走査線及びダミー発光制御線がさらに形成されてもよい。
【００４８】
図２は図１に示した画素の一実施形態を示す図である。図２では、説明の便宜上、第ｎ走査線Ｓｎ及び第ｍデータ線Ｄｍと接続された画素を図示する。
【００４９】
図２を参照すると、本発明の一実施形態による画素５０は、有機発光ダイオードＯＬＥＤ、第１トランジスタ（駆動トランジスタ）Ｔ１、第２トランジスタＴ２、第３トランジスタＴ３、及びストレージキャパシタＣｓｔを備える。
【００５０】
有機発光ダイオードＯＬＥＤのアノード電極は第３トランジスタＴ３の第２電極に接続され、有機発光ダイオードＯＬＥＤのカソード電極は第２駆動電源ＥＬＶＳＳに接続される。このような有機発光ダイオードＯＬＥＤは、第１トランジスタＴ１から供給される電流量に応じて所定輝度の光を生成する。
【００５１】
第１トランジスタＴ１の第１電極は第１駆動電源ＥＬＶＤＤに接続され、第１トランジスタＴ１の第２電極は第３トランジスタＴ３の第１電極に接続される。また、第１トランジスタＴ１のゲート電極は第１０ノードＮ１０に接続される。この第１トランジスタＴ１は、第１０ノードＮ１０の電圧に応じて、第１駆動電源ＥＬＶＤＤから第３トランジスタＴ３及び有機発光ダイオードＯＬＥＤを経由して第２駆動電源ＥＬＶＳＳに供給される電流量を制御する。
【００５２】
第２トランジスタＴ２の第１電極はデータ線Ｄｍに接続され、第２トランジスタＴ２の第２電極は第１０ノードＮ１０に接続される。また、第２トランジスタＴ２のゲート電極は走査線Ｓｎに接続される。この第２トランジスタＴ２は、走査線Ｓｎに走査信号が供給されるときターンオンし、データ線Ｄｍからのデータ信号を第１０ノードＮ１０に供給する。
【００５３】
第３トランジスタＴ３の第１電極は第１トランジスタＴ１の第２電極に接続され、第３トランジスタＴ３の第２電極は有機発光ダイオードＯＬＥＤのアノード電極に接続される。また、第３トランジスタＴ３のゲート電極は発光制御線Ｅｎに接続される。この第３トランジスタＴ３は、発光制御線Ｅｎに発光制御信号が供給されるときにターンオフし、発光制御信号が供給されないときにはターンオンする。
【００５４】
第３トランジスタＴ３がターンオフすると、第１トランジスタＴ１と有機発光ダイオードＯＬＥＤが電気的に遮断されるため、画素５０が非発光状態に設定される。第３トランジスタＴ３がターンオンすると、第１トランジスタＴ１と有機発光ダイオードＯＬＥＤが電気的に接続されるため、画素５０は発光可能な状態に設定される。
【００５５】
ストレージキャパシタＣｓｔは第１駆動電源ＥＬＶＤＤと第１０ノードＮ１０の間に接続される。このようなストレージキャパシタＣｓｔは第１０ノードＮ１０の電圧を充電する。
【００５６】
一方、本発明の一実施形態における画素５０は図２に限定されない。例えば、本発明における画素５０は、発光制御信号によって発光期間が制御できる様々な形態の回路で実現されてもよい。
【００５７】
図３は図１に示した発光駆動部の一実施形態を示す図である。図３では、説明の便宜上、４個のステージを図示する。
【００５８】
図３を参照すると、本発明の一実施形態による発光駆動部３０は複数のステージＳＴ１〜ＳＴ４を備える。ステージＳＴ１〜ＳＴ４は発光制御線Ｅ１〜Ｅ４のいずれか１つと接続され、クロック信号ＣＬＫ１、ＣＬＫ２に応じて駆動される。ここで、ステージＳＴ１〜ＳＴ４は同じ回路で実現されてもよい。
【００５９】
ステージＳＴ１〜ＳＴ４のそれぞれは、第１入力端子１０１、第２入力端子１０２、第３入力端子１０３、及び出力端子１０４を備える。
【００６０】
第１入力端子１０１は、前段のステージの出力信号（即ち、発光制御信号）またはスタートパルスＳＳＰの供給を受ける。例えば、最初のステージＳＴ１の第１入力端子１０１はスタートパルスＳＳＰの供給を受け、残りのステージＳＴ２〜ＳＴ４の第１入力端子１０１は前段のステージの出力信号の供給を受けることができる。
【００６１】
ｊ（ｊは奇数または偶数）番目のステージＳＴｊの第２入力端子１０２は第１クロック信号ＣＬＫ１の供給を受け、第３入力端子１０３は第２クロック信号ＣＬＫ２の供給を受ける。そして、ｊ＋１番目のステージ（ＳＴｊ＋１）の第２入力端子１０２は第２クロック信号ＣＬＫ２の供給を受け、第３入力端子１０３は第１クロック信号ＣＬＫ１の供給を受ける。
【００６２】
第１クロック信号ＣＬＫ１及び第２クロック信号ＣＬＫ２は同じ周期を有し、位相が重ならない。例えば、第２クロック信号ＣＬＫ２は第１クロック信号ＣＬＫ１から半周期分だけシフトした信号に設定されてもよい。
【００６３】
さらに、ステージＳＴ１〜ＳＴ４は第１電源ＶＤＤ及び第２電源ＶＳＳの供給を受ける。第１電源ＶＤＤはゲートオフ電圧に設定され、第２電源ＶＳＳはゲートオン電圧に設定されてもよい。この場合、出力端子１０４に供給された第１電源ＶＤＤが発光制御信号に用いられる。
【００６４】
図４は図３に示したステージの一実施形態を示す図である。図４では、説明の便宜上、第１ステージＳＴ１及び第２ステージＳＴ２を図示する。
【００６５】
図４を参照すると、本発明の一実施形態による第１ステージＳＴ１は、入力部２１０、出力部２２０、第１信号処理部２３０、第２信号処理部２４０、第３信号処理部２５０、及び第１安定化部２６０を備える。
【００６６】
出力部２２０は、第１ノードＮ１及び第２ノードＮ２の電圧に応じて、第１電源ＶＤＤまたは第２電源ＶＳＳの電圧を出力端子１０４に供給する。このため、出力部２２０は第１０トランジスタＭ１０及び第１１トランジスタＭ１１を備える。
【００６７】
第１０トランジスタＭ１０は第１電源ＶＤＤと出力端子１０４の間に接続される。また、第１０トランジスタＭ１０のゲート電極は第１ノードＮ１に接続される。この第１０トランジスタＭ１０は、第１ノードＮ１の電圧に応じてターンオンまたはターンオフする。ここで、第１０トランジスタＭ１０がターンオンするとき出力端子１０４に供給される第１電源ＶＤＤの電圧は、第１発光制御線Ｅ１の発光制御信号に用いられる。
【００６８】
第１１トランジスタＭ１１は出力端子１０４と第２電源ＶＳＳの間に接続される。また、第１１トランジスタＭ１１のゲート電極は第２ノードＮ２に接続される。この第１１トランジスタＭ１１は第２ノードＮ２の電圧に応じてターンオンまたはターンオフする。
【００６９】
入力部２１０は、第１入力端子１０１及び第２入力端子１０２に供給される信号に応じて、第３ノードＮ３及び第４ノードＮ４の電圧を制御する。このため、入力部２１０は第７トランジスタＭ７〜第９トランジスタＭ９を備える。
【００７０】
第７トランジスタＭ７は第１入力端子１０１と第４ノードＮ４の間に接続される。また、第７トランジスタＭ７のゲート電極は第２入力端子１０２に接続される。この第７トランジスタＭ７は、第２入力端子１０２に第１クロック信号ＣＬＫ１が供給されるときターンオンし、第１入力端子１０１と第４ノードＮ４を電気的に接続する。
【００７１】
第８トランジスタＭ８は第３ノードＮ３と第２入力端子１０２の間に接続される。また、第８トランジスタＭ８のゲート電極は第４ノードＮ４に接続される。この第８トランジスタＭ８は第４ノードＮ４の電圧に応じてターンオンまたはターンオフする。
【００７２】
第９トランジスタＭ９は第３ノードＮ３と第２電源ＶＳＳの間に接続される。また、第９トランジスタＭ９のゲート電極は第２入力端子１０２に接続される。この第９トランジスタＭ９は、第２入力端子１０２に第１クロック信号ＣＬＫ１が供給されるときターンオンし、第３ノードＮ３に第２電源ＶＳＳの電圧を供給する。
【００７３】
第１信号処理部２３０は、第２ノードＮ２の電圧に応じて第１ノードＮ１の電圧を制御する。このため、第１信号処理部２３０は第１２トランジスタＭ１２及び第３キャパシタＣ３を備える。
【００７４】
第１２トランジスタＭ１２は第１電源ＶＤＤと第１ノードＮ１の間に接続される。また、第１２トランジスタＭ１２のゲート電極は第２ノードＮ２に接続される。この第１２トランジスタＭ１２は、第２ノードＮ２の電圧に応じてターンオンまたはターンオフする。
【００７５】
第３キャパシタＣ３は第１電源ＶＤＤと第１ノードＮ１の間に接続される。この第３キャパシタＣ３は第１ノードＮ１に印加される電圧を充電する。また、第３キャパシタＣ３は第１ノードＮ１の電圧を安定的に保持する。
【００７６】
第２信号処理部２４０は第５ノードＮ５に接続され、第３入力端子１０３に供給される信号に応じて第１ノードＮ１の電圧を制御する。このため、第２信号処理部２４０は、第５トランジスタＭ５、第６トランジスタＭ６、第１キャパシタＣ１、及び第２キャパシタＣ２を備える。
【００７７】
第１キャパシタＣ１は第２ノードＮ２と第３入力端子１０３の間に接続される。この第１キャパシタＣ１は第２ノードＮ２に印加される電圧を充電する。また、第１キャパシタＣ１は、第３入力端子１０３に供給される第２クロック信号ＣＬＫ２に応じて第２ノードＮ２の電圧を制御する。
【００７８】
第２キャパシタＣ２の第１端子は第５ノードＮ５に接続され、第２端子は第５トランジスタＭ５に接続される。
【００７９】
第５トランジスタＭ５は第２キャパシタＣ２の第２端子と第１ノードＮ１の間に接続される。また、第５トランジスタＭ５のゲート電極は第３入力端子１０３に接続される。この第５トランジスタＭ５は、第３入力端子１０３に第２クロック信号ＣＬＫ２が供給されるときターンオンし、第２キャパシタＣ２の第２端子と第１ノードＮ１を電気的に接続する。
【００８０】
第６トランジスタＭ６は第２キャパシタＣ２の第２端子と第３入力端子１０３の間に接続される。また、第６トランジスタＭ６のゲート電極は第５ノードＮ５に接続される。この第６トランジスタＭ６は、第５ノードＮ５の電圧に応じてターンオンまたはターンオフする。
【００８１】
第３信号処理部２５０は、第３ノードＮ３の電圧及び第３入力端子１０３に供給される信号に応じて第４ノードＮ４の電圧を制御する。このため、第３信号処理部２５０は、第１３トランジスタＭ１３及び第１４トランジスタＭ１４を備える。
【００８２】
第１３トランジスタＭ１３及び第１４トランジスタＭ１４は、第１電源ＶＤＤと第４ノードＮ４の間に直列接続される。また、第１３トランジスタＭ１３のゲート電極は第３ノードＮ３に接続される。この第１３トランジスタＭ１３は、第３ノードＮ３の電圧に応じてターンオンまたはターンオフする。
【００８３】
また、第１４トランジスタＭ１４のゲート電極は第３入力端子１０３に接続される。この第１４トランジスタＭ１４は、第３入力端子１０３に第２クロック信号ＣＬＫ２が供給されるときターンオンする。
【００８４】
第１安定化部２６０は第２信号処理部２４０と入力部２１０の間に接続される。この第１安定化部２６０は第３ノードＮ３及び第４ノードＮ４の電圧の下降幅を制限する。このため、第１安定化部２６０は、第１トランジスタＭ１及び第２トランジスタＭ２を備える。
【００８５】
第１トランジスタＭ１は第３ノードＮ３と第５ノードＮ５の間に接続される。また、第１トランジスタＭ１のゲート電極は第２電源ＶＳＳに接続される。この第１トランジスタＭ１はターンオン状態に設定される。
【００８６】
第２トランジスタＭ２は第２ノードＮ２と第４ノードＮ４の間に接続される。また、第２トランジスタＭ２のゲート電極は第２電源ＶＳＳに接続される。この第２トランジスタＭ２はターンオン状態に設定される。
【００８７】
一方、第２ステージＳＴ２は、第１入力端子１０１〜第３入力端子１０３に供給される信号を除いた構成が第１ステージＳＴ１と同様である。したがって、第２ステージＳＴ２に関する詳細な説明は省略する。
【００８８】
図５は図４に示したステージの駆動方法の一実施形態を示す波形図である。図５では、説明の便宜上、第１ステージＳＴ１を参照して動作過程を説明する。
【００８９】
図５を参照すると、第１クロック信号ＣＬＫ１及び第２クロック信号ＣＬＫ２は２水平期間２Ｈの周期を有し、異なる水平期間に供給される。即ち、第２クロック信号ＣＬＫ２は、第１クロック信号ＣＬＫ１から半周期（即ち、１水平期間１Ｈ）分だけシフトされた信号に設定される。
【００９０】
スタートパルスＳＳＰが供給されるとき、第１入力端子１０１は第１電源ＶＤＤの電圧に設定され、スタートパルスＳＳＰが供給されないとき、第１入力端子１０１は第２電源ＶＳＳの電圧に設定されてもよい。
【００９１】
クロック信号ＣＬＫ１、ＣＬＫ２が供給されるとき、第２入力端子１０２及び第３入力端子１０３は第２電源ＶＳＳの電圧に設定され、クロック信号ＣＬＫ１、ＣＬＫ２が供給されないとき、第２入力端子１０２及び第３入力端子１０３は第１電源ＶＤＤの電圧に設定されてもよい。
【００９２】
また、第１入力端子１０１に供給されるスタートパルスＳＳＰは、第２入力端子１０２に供給される第１クロック信号ＣＬＫ１と少なくとも一度重なるように設定される。このため、スタートパルスＳＳＰは第１クロック信号ＣＬＫ１より広い幅、例えば、４水平期間４Ｈの間供給されることができる。この場合、第２ステージＳＴ２の第１入力端子１０１に供給される最初の発光制御信号も、第２ステージＳＴ２の第２入力端子１０２に供給される第２クロック信号ＣＬＫ２と少なくとも一度重なる。
【００９３】
動作過程を説明すると、まず、第１時点ｔ１に第２入力端子１０２に第１クロック信号ＣＬＫ１が供給される。第２入力端子１０２に第１クロック信号ＣＬＫ１が供給されると、第７トランジスタＭ７及び第９トランジスタＭ９がターンオンする。
【００９４】
第７トランジスタＭ７がターンオンすると、第１入力端子１０１と第４ノードＮ４が電気的に接続される。ここで、第２トランジスタＭ２がターンオン状態を保持するために、第１入力端子１０１は第４ノードＮ４を経由して第２ノードＮ２とも電気的に接続される。このとき、第１時点ｔ１の間、第１入力端子１０１にはスタートパルスＳＳＰが供給されず、これにより、第４ノードＮ４及び第２ノードＮ２にロー電圧（例えば、ＶＳＳ）が供給される。
【００９５】
第２ノードＮ２及び第４ノードＮ４にロー電圧が供給されると、第８トランジスタＭ８、第１１トランジスタＭ１１、及び第１２トランジスタＭ１２がターンオンする。
【００９６】
第１２トランジスタＭ１２がターンオンすると、第１ノードＮ１に第１電源ＶＤＤの電圧が供給され、これにより、第１０トランジスタＭ１０がターンオフする。このとき、第３キャパシタＣ３には、第１０トランジスタＭ１０のターンオフに対応する電圧が充電される。
【００９７】
第１１トランジスタＭ１１がターンオンすると、第２電源ＶＳＳの電圧が出力端子１０４に供給される。したがって、第１時点ｔ１の間、第１発光制御線Ｅ１に発光制御信号が供給されない。
【００９８】
第８トランジスタＭ８がターンオンすると、第３ノードＮ３に第１クロック信号ＣＬＫ１が供給される。ここで、第１トランジスタＭ１がターンオン状態を保持するため、第１クロック信号ＣＬＫ１は第３ノードＮ３を経由して第５ノードＮ５にも供給される。
【００９９】
一方、第９トランジスタＭ９がターンオンすると、第２電源ＶＳＳの電圧が第３ノードＮ３及び第５ノードＮ５に供給される。ここで、第１クロック信号ＣＬＫ１は第２電源ＶＳＳの電圧に設定され、これにより、第３ノードＮ３及び第５ノードＮ５は安定的に第２電源ＶＳＳの電圧に設定される。
【０１００】
第３ノードＮ３及び第５ノードＮ５が第２電源ＶＳＳの電圧に設定されると、第１３トランジスタＭ１３及び第６トランジスタＭ６がターンオンする。
【０１０１】
第６トランジスタＭ６がターンオンすると、第３入力端子１０３からのハイ電圧（例えば、ＶＤＤ）が第２キャパシタＣ２の第２端子に供給される。このとき、第５トランジスタＭ５がターンオフ状態に設定されるため、第１ノードＮ１は、第５ノードＮ５及び第２キャパシタＣ２の第２端子電圧とは関係なく第３電源ＶＤＤの電圧を保持する。
【０１０２】
第１３トランジスタＭ１３がターンオンすると、第１電源ＶＤＤの電圧が第１４トランジスタＭ１４に供給される。このとき、第１４トランジスタＭ１４はターンオフ状態に設定され、これにより、第４ノードＮ４はロー電圧を保持する。
【０１０３】
第２時点ｔ２では、第２入力端子１０２への第１クロック信号ＣＬＫ１の供給が中断される。第１クロック信号ＣＬＫ１の供給が中断されると、第７トランジスタＭ７及び第９トランジスタＭ９がターンオフする。このとき、第１キャパシタＣ１及び第３キャパシタＣ３により第２ノードＮ２及び第１ノードＮ１は前期間の電圧を保持する。
【０１０４】
第２ノードＮ２がロー電圧を保持する場合、第８トランジスタＭ８、第１１トランジスタＭ１１、及び第１２トランジスタＭ１２がターンオンする。
【０１０５】
第８トランジスタＭ８がターンオンすると、第２入力端子１０２からのハイ電圧が第３ノードＮ３及び第５ノードＮ５に供給される。そうすると、第１３トランジスタＭ１３及び第６トランジスタＭ６がターンオフ状態に設定される。
【０１０６】
第１２トランジスタＭ１２がターンオンすると、第１ノードＮ１に第１電源ＶＤＤの電圧が供給され、これにより、第１０トランジスタＭ１０はターンオフ状態を保持する。
【０１０７】
第１１トランジスタＭ１１がターンオンすると、出力端子１０４は第２電源ＶＳＳの電圧の供給を受ける。
【０１０８】
第３時点ｔ３では、第３入力端子１０３に第２クロック信号ＣＬＫ２が供給される。第３入力端子１０３に第２クロック信号ＣＬＫ２が供給されると、第１４トランジスタＭ１４及び第５トランジスタＭ５がターンオンする。
【０１０９】
第５トランジスタＭ５がターンオンすると、第２キャパシタＣ２の第２端子と第１ノードＮ１が電気的に接続される。このとき、第１ノードＮ１は第１電源ＶＤＤの電圧を保持する。
【０１１０】
第１４トランジスタＭ１４がターンオンすると、第１３トランジスタＭ１３の第２電極と第２ノードＮ２が電気的に接続される。このとき、第１３トランジスタＭ１３がターンオフ状態に設定されるため、第１電源ＶＤＤの電圧は第４ノードＮ４及び第２ノードＮ２に供給されない。
【０１１１】
また、第３入力端子１０３に第２クロック信号ＣＬＫ２が供給されると、第１キャパシタＣ１のカップリングにより、第２ノードＮ２は第２電源ＶＳＳより低い電圧に下降する。そうすると、第１１トランジスタＭ１１及び第１２トランジスタＭ１２のゲート電極に印加される電圧が第２電源ＶＳＳより低い電圧に下降するため、トランジスタの駆動特性が向上することができる。
【０１１２】
一方、第４ノードＮ４は、第２トランジスタＭ２により、第２ノードＮ２の電圧の下降とは関係なくほぼ第２電源ＶＳＳの電圧を保持する。即ち、第２トランジスタＭ２のゲート電極に第２電源ＶＳＳの電圧が印加されるため、第２ノードＮ２の電圧の下降とは関係なく第４ノードＮ４はほぼ第２電源ＶＳＳの電圧を保持する。この場合、第７トランジスタＭ７の第１電極及び第２電極の電圧差、即ち、ソース電極とドレイン電極の電圧差が最小化し、第７トランジスタＭ７の特性が変化することを防止することができる。
【０１１３】
第４時点ｔ４では、第１入力端子１０１にスタートパルスＳＳＰが供給され、第２入力端子１０２に第１クロック信号ＣＬＫ１が供給される。
【０１１４】
第２入力端子１０２に第１クロック信号ＣＬＫ１が供給されると、第７トランジスタＭ７及び第９トランジスタＭ９がターンオンする。
【０１１５】
第７トランジスタＭ７がターンオンすると、第１入力端子１０１と第４ノードＮ４及び第２ノードＮ２が電気的に接続される。そうすると、第２入力端子１０２に供給されたスタートパルスＳＳＰによって、第４ノードＮ４及び第２ノードＮ２がハイ電圧に設定される。第４ノードＮ４及び第２ノードＮ２がハイ電圧に設定されると、第８トランジスタＭ８、第１１トランジスタＭ１１、及び第１２トランジスタＭ１２がターンオフする。
【０１１６】
第９トランジスタＭ９がターンオンすると、第３ノードＮ３及び第５ノードＮ５に第２電源ＶＳＳの電圧が供給される。第３ノードＮ３及び第５ノードＮ５に第２電源ＶＳＳの電圧が供給されると、第１３トランジスタＭ１３及び第６トランジスタＭ６がターンオンする。
【０１１７】
このとき、第１３トランジスタＭ１３がターンオンしても第１４トランジスタＭ１４がターンオフ状態に設定されるため、第４ノードＮ４の電圧は変わらない。
【０１１８】
第６トランジスタＭ６がターンオンすると、第２キャパシタＣ２の第２端子と第３入力端子１０３が電気的に接続される。このとき、第５トランジスタＭ５がターンオフ状態に設定されるため、第１ノードＮ１はハイ電圧を保持する。
【０１１９】
第５時点ｔ５では、第３入力端子１０３に第２クロック信号ＣＬＫ２が供給される。第３入力端子１０３に第２クロック信号ＣＬＫ２が供給されると、第１４トランジスタＭ１４及び第５トランジスタＭ５がターンオンする。また、第５時点ｔ５では第３ノードＮ３及び第５ノードＮ５が第２電源ＶＳＳの電圧に設定されるため、第１３トランジスタＭ１３及び第６トランジスタＭ６がターンオン状態を保持する。
【０１２０】
第５トランジスタＭ５及び第６トランジスタＭ６がターンオンすると、第２クロック信号ＣＬＫ２が第１ノードＮ１に供給される。第１ノードＮ１に第２クロック信号ＣＬＫ２が供給されると、第１０トランジスタＭ１０がターンオンする。第１０トランジスタＭ１０がターンオンすると、第１電源ＶＤＤの電圧が出力端子１０４に供給される。出力端子１０４に供給された第１電源ＶＤＤの電圧は、発光制御信号として第１発光制御線Ｅ１に供給される。
【０１２１】
第１３トランジスタＭ１３及び第１４トランジスタＭ１４がターンオンすると、第４ノードＮ４及び第２ノードＮ２に第２電源ＶＤＤの電圧が供給される。そうすると、第８トランジスタＭ８及び第１１トランジスタＭ１１は安定的にターンオフ状態を保持する。
【０１２２】
一方、第２キャパシタＣ２の第２端子に第２クロック信号ＣＬＫ２が供給されると、第２キャパシタＣ２のカップリングにより、第５ノードＮ５の電圧が第２電源ＶＳＳより低い電圧に下降する。そうすると、第６トランジスタＭ６のゲート電極に印加される電圧が第２電源ＶＳＳより低い電圧に下降するため、第６トランジスタＭ６の駆動特性が向上することができる。
【０１２３】
また、第１トランジスタＭ１により、第５ノードＮ５の電圧とは関係なく第３ノードＮ３の電圧はほぼ第２電源ＶＳＳの電圧を保持する。即ち、第１トランジスタＭ１のゲート電極には第２電源ＶＳＳの電圧が印加されるため、第５ノードＮ５の電圧の下降とは関係なく第３ノードＮ３はほぼ第２電源ＶＳＳの電圧を保持する。この場合、第８トランジスタＭ８のソース電極とドレイン電極の電圧差が最小化し、第８トランジスタＭ８の特性が変化することを防止することができる。
【０１２４】
第６時点ｔ６では、第２入力端子１０２に第１クロック信号ＣＬＫ１が供給される。第２入力端子１０２に第１クロック信号ＣＬＫ１が供給されると、第７トランジスタＭ７及び第９トランジスタＭ９がターンオンする。
【０１２５】
第７トランジスタＭ７がターンオンすると、第４ノードＮ４及び第２ノードＮ２が第１入力端子１０１と電気的に接続され、これにより、第１入力端子１０１からのロー電圧が第４ノードＮ４及び第２ノードＮ２に供給される。第４ノードＮ４及び第２ノードＮ２がロー電圧に設定されると、第８トランジスタＭ８、第１１トランジスタＭ１１及び第１２トランジスタＭ１２がターンオンする。
【０１２６】
第８トランジスタＭ８がターンオンすると、第３ノードＮ３及び第５ノードＮ５に第１クロック信号ＣＬＫ１が供給される。
【０１２７】
第１２トランジスタＭ１２がターンオンすると、第１ノードＮ１に第１電源ＶＤＤの電圧が供給され、これにより、第１０トランジスタＭ１０がターンオフする。第１１トランジスタＭ１１がターンオンすると、出力端子１０４に第２電源ＶＳＳの電圧が供給される。出力端子１０４に供給された第２電源ＶＳＳの電圧は第１発光制御線Ｅ１に供給され、これにより、第１発光制御線Ｅ１への発光制御信号の供給が中断される。
【０１２８】
一方、第１ステージＳＴ１の出力端子１０４から発光制御信号の供給を受ける第２ステージＳＴ２も、上述した過程を繰り返しながら第２発光制御線Ｅ２に発光制御信号を供給する。即ち、本発明の一実施形態による発光ステージＳＴは、上述した過程を繰り返しながら発光制御線Ｅ１〜Ｅｎに発光制御信号を順に供給することができる。
【０１２９】
図６は図３に示したステージの他の一実施形態を示す図である。図６を説明するにあたって、図４と同じ構成に対しては同じ図面符号を付し、詳細な説明は省略する。
【０１３０】
図６を参照すると、本発明の他の一実施形態による第１ステージＳＴ１’は、入力部２１０’、出力部２２０、第１信号処理部２３０、第２信号処理部２４０、第３信号処理部２５０、及び第１安定化部２６０を備える。
【０１３１】
入力部２１０’は、第１入力端子１０１及び第２入力端子１０２に供給される信号に応じて、第３ノードＮ３及び第４ノードＮ４の電圧を制御する。このため、入力部２１０は第７トランジスタＭ７〜第９トランジスタＭ９を備える。
【０１３２】
第７トランジスタＭ７は第１入力端子１０１と第４ノードＮ４の間に接続される。また、第７トランジスタＭ７のゲート電極は第２入力端子１０２に接続される。この第７トランジスタＭ７は、第２入力端子１０２に第１クロック信号ＣＬＫ１が供給されるときターンオンし、第１入力端子１０１と第４ノードＮ４を電気的に接続する。
【０１３３】
第３ノードＮ３と第２入力端子１０２の間には複数の第８トランジスタＭ８＿１、Ｍ８＿２が直列接続される。第８トランジスタＭ８＿１、Ｍ８＿２のゲート電極は第４ノードＮ４に接続される。この第８トランジスタＭ８＿１、Ｍ８＿２は、第４ノードＮ４の電圧に応じてターンオンまたはターンオフする。
【０１３４】
第９トランジスタＭ９は第３ノードＮ３と第２電源ＶＳＳの間に接続される。また、第９トランジスタＭ９のゲート電極は第２入力端子１０２に接続される。この第９トランジスタＭ９は、第２入力端子１０２に第１クロック信号ＣＬＫ１が供給されるときターンオンして第３ノードＮ３に第２電源ＶＳＳの電圧を供給する。
【０１３５】
このような本発明の他の一実施形態では、リーク電流を最小化するために複数の第８トランジスタＭ８＿１、Ｍ８＿２を形成することを除いた構成は図４と同じである。したがって、動作過程に対する詳細な説明は省略する。なお、第２ステージＳＴ２’も入力端子１０１、１０２、１０３に供給される信号を除いた構成が第１ステージＳＴ１’と同一であるため、詳細な説明は省略する。
【０１３６】
図７は図３に示したステージのさらに他の一実施形態を示す図である。図７では、説明の便宜上、第１ステージＳＴ１”及び第２ステージＳＴ２”を図示する。また、図７において、図４と同じ構成に対しては同じ図面符号を付し、詳細な説明は省略する。
【０１３７】
図７を参照すると、本発明のさらに他の一実施形態による第１ステージＳＴ１”は、入力部２１０、出力部２２０、第１信号処理部２３０、第２信号処理部２４０’、第３信号処理部２５０、第１安定化部２６０、及び第２安定化部２７０を備える。
【０１３８】
第２安定化部２７０は、第１電源ＶＤＤ、第１ノードＮ１、及び第３入力端子１０３に接続される。この第２安定化部２７０は、出力端子１０４に発光制御信号が供給される間第２ノードＮ２の電圧を一定に保持する。このため、第２安定化部２７０は、第３トランジスタＭ３、第４トランジスタＭ４、及び第１キャパシタＣ１’を備える。
【０１３９】
第３トランジスタＭ３は第１電源ＶＤＤと第６ノードＮ６の間に接続され、ゲート電極が第１ノードＮ１に接続される。この第３トランジスタＭ３は、第１ノードＮ１の電圧に応じてターンオンまたはターンオフする。
【０１４０】
第４トランジスタＭ４は第６ノードＮ６と第３入力端子１０３の間に接続され、ゲート電極が第２ノードＮ２に接続される。この第４トランジスタＭ４は第２ノードＮ２の電圧に応じてターンオンまたはターンオフする。
【０１４１】
第１キャパシタＣ１’は第６ノードＮ６と第２ノードＮ２の間に接続される。
【０１４２】
第２信号処理部２４０’は第５ノードＮ５に接続され、第３入力端子１０３に供給される信号に応じて第１ノードＮ１の電圧を制御する。このため、第２信号処理部２４０’は第５トランジスタＭ５、第６トランジスタＭ６、及び第２キャパシタＣ２を備える。
【０１４３】
第２キャパシタＣ２の第１端子は第５ノードＮ５に接続され、第２キャパシタＣ２の第２端子は第５トランジスタＭ５に接続される。
【０１４４】
第５トランジスタＭ５は第２キャパシタＣ２の第２端子と第１ノードＮ１の間に接続される。また、第５トランジスタＭ５のゲート電極は第３入力端子１０３に接続される。この第５トランジスタＭ５は、第３入力端子１０３に第２クロック信号ＣＬＫ２が供給されるときターンオンし、第２キャパシタＣ２の第２端子と第１ノードＮ１を電気的に接続する。
【０１４５】
第６トランジスタＭ６は第２キャパシタＣ２の第２端子と第３入力端子１０３の間に接続される。また、第６トランジスタＭ６のゲート電極は第５ノードＮ５に接続される。この第６トランジスタＭ６は、第５ノードＮ５の電圧に応じてターンオンまたはターンオフする。
【０１４６】
この第２信号処理部２４０’は、図４と比べて第１キャパシタＣ１がないだけであり、その他の構成は同様である。
【０１４７】
上述した本発明の他の一実施形態によるステージは図５の駆動波形によって駆動される。したがって、第２安定化部２７０を中心に動作過程を説明する。
【０１４８】
第４トランジスタＭ４は第２ノードＮ２の電圧に応じてターンオンする。即ち、第４トランジスタＭ４は、第２ノードＮ２がロー電圧に設定される間ターンオン状態を保持する。この場合、第４トランジスタＭ４は、図５の第４時点ｔ４の以前及び第６時点ｔ６の以後にターンオン状態に設定される。
【０１４９】
第４トランジスタＭ４がターンオン状態に設定される場合、第２クロック信号ＣＬＫ２が供給されると、第１キャパシタＣ１’のカップリングによって第２ノードＮ２の電圧が第２電源ＶＳＳより低い電圧に下降する。（ｔ３時点など）
【０１５０】
一方、第３トランジスタＭ３は第１ノードＮ１の電圧に応じてターンオンする。即ち、第３トランジスタＭ３は、第１ノードＮ１がロー電圧に設定される間ターンオン状態を保持する。この場合、第３トランジスタＭ３は、図５の第５時点ｔ５及び第６時点ｔ６の間ターンオン状態を保持する。
【０１５１】
第３トランジスタＭ３がターンオンすると、第６ノードＮ６に第１電源ＶＤＤの電圧が供給される。即ち、発光制御線Ｅ１に発光制御信号が供給される間、第６ノードＮ６は第１電源ＶＤＤの電圧を保持する。この第６ノードＮ６が第１電源ＶＤＤの電圧を保持すると、第２ノードＮ２が安定的にハイ電圧を保持することができる。
【０１５２】
より詳細に説明すると、図４のステージの場合、第１キャパシタＣ１は第３入力端子１０３に供給される第２クロック信号ＣＬＫ２の供給を受けるため、第２ノードＮ２の電圧は第２クロック信号ＣＬＫ２によって電圧が変動する。特に、図５の第５時点ｔ５及び第６時点ｔ６の間でも第２クロック信号ＣＬＫ２によって第２ノードＮ２の電圧が揺れ、これにより動作の信頼性が低下する恐れがある。
【０１５３】
一方、図６のステージの場合、図５の第５時点ｔ５及び第６時点ｔ６の間、第１キャパシタＣ１’の第１端子は第１電源ＶＤＤの電圧に保持されるため、第２ノードＮ２の電圧を安定的に保持することができる。
【０１５４】
本発明の技術思想は上記好ましい実施形態を参照して具体的に述べたが、上記した実施形態はその説明のためのものであり、これに限定するためのものではないことに注意すべきである。また、本発明の技術分野の通常の知識を有する者であれば、本発明の技術思想の範囲内で多様な変形例が可能であることが理解できるだろう。
【０１５５】
上述した発明の権利範囲は添付の特許請求の範囲により定められるものであって、明細書の本文の記載に拘束されず、請求の範囲に記載の発明に属する変形や変更はすべて本発明の範囲に属する。
【符号の説明】
【０１５６】
１０  走査駆動部
２０  データ駆動部
３０  発光駆動部
４０  画素部
５０  画素
６０  タイミング制御部
２１０  入力部
２２０  出力部
２３０、２４０、２５０  信号処理部
２６０、２７０  安定化部
【図１】
2017223953.tif 000003
【図２】
2017223953.tif 000004
【図３】
2017223953.tif 000005
【図４】
2017223953.tif 000006
【図５】
2017223953.tif 000007
【図６】
2017223953.tif 000008
【図７】
2017223953.tif 000009